(57)【要約】      （修正有）【課題】工事現場等でのカメラ撮影に用いられる使いやすい柄付きボードを提供する。【解決手段】柄付きボード２は、表示プレート４と、この表示プレート４の前面に揺動可能に取り付けられた柄２６とを備えている。この表示プレート４は切り欠き１０を備えている。この柄２６がこの表示プレート４に対して揺動したとき、この柄２６がこの切り欠き１０に入り込むことにより、柄２６と表示プレート４の前面とのなす角度αが１８０°を越えて、この柄２６がこの表示プレート４に対して揺動する。好ましくは、柄２６と表示プレート４の前面とのなす角度αの最大値は、２２５°以上３４５°以下である。好ましくは、柄２６と表示プレート４の前面とのなす角度αが最小となるまで柄２６を揺動させたとき、正面視において、柄２６は上記表示プレート４から突出しない。【選択図】図１
0003184456.tif 000002
【実用新案登録請求の範囲】
【請求項１】
表示プレートと、この表示プレートの前面に揺動可能に取り付けられた柄とを備えており、
この表示プレートが切り欠きを備えており、
この柄がこの表示プレートに対して揺動したとき、この柄がこの切り欠きに入り込むことにより、上記柄と上記表示プレートの前面とのなす角度αが１８０°を越えて、この柄がこの表示プレートに対して揺動する柄付きボード。
【請求項２】
上記柄と上記表示プレートの前面とのなす角度αの最大値が、２２５°以上３４５°以下である請求項１に記載の柄付きボード。
【請求項３】
上記柄と上記表示プレートの前面とのなす角度αが最小となるまで上記柄を揺動させたとき、正面視において、上記柄が上記表示プレートから突出しない請求項１又は２に記載の柄付きボード。
【請求項４】
上記柄と上記表示プレートの前面とのなす角度αが最小となるまで上記柄を揺動させたとき、上記柄と上記表示プレートの前面が当接する請求項１から３のいずれかに記載の柄付きボード。
【考案の詳細な説明】
【技術分野】
【０００１】
本考案は、工事現場等でのカメラ撮影に用いられる柄付きボードに関する。
【背景技術】
【０００２】
工事現場では、工事の状況の記録の目的で、カメラで写真が撮影される。このとき、工事現場を背景としつつ、黒板又はホワイトボードが撮影される。黒板又はホワイトボードには、工事名、場所、日付等が記載される。撮影には、黒板又はホワイトボードを保持する者と、カメラのシャッターを押す者との、２名の作業者が必要である。
【０００３】
実用新案登録第３１７３７３９号公報には、１名の作業者で工事現場の撮影がなされうるボードが開示されている。このボードは、伸縮可能な柄と、表示プレートと、三脚のカメラスクリューが螺入されうる三脚穴とを備えている。表示プレートには、工事名、場所、日付等が記載される。作業者は、所定長さに設定された柄を一方の手で把持し、他方の手でカメラのシャッターを押す。また、作業者は、この柄付きボードを三脚に取り付けて、シャッターを押すこともできる。
【先行技術文献】
【特許文献】
【０００４】
【特許文献１】実用新案登録第３１７３７３９号公報
【考案の概要】
【考案が解決しようとする課題】
【０００５】
作業者は、柄付きボードの使いやすさのさらなる向上を望んでいる。本考案の目的は、使いやすい柄付きボードの提供にある。
【課題を解決するための手段】
【０００６】
本考案に係る柄付きボードは、表示プレートと、この表示プレートの前面に揺動可能に取り付けられた柄とを備えている。この表示プレートは切り欠きを備えている。この柄がこの表示プレートに対して揺動したとき、この柄がこの切り欠きに入り込むことにより、上記柄と上記表示プレートの前面とのなす角度αが１８０°を越えて、この柄がこの表示プレートに対して揺動する。
【０００７】
好ましくは、上記柄と上記表示プレートの前面とのなす角度αの最大値は、２２５°以上３４５°以下である。
【０００８】
好ましくは、上記柄と上記表示プレートの前面とのなす角度αが最小となるまで上記柄を揺動させたとき、正面視において、上記柄は上記表示プレートから突出しない。
【０００９】
好ましくは、上記柄と上記表示プレートの前面とのなす角度αが最小となるまで上記柄を揺動させたとき、上記柄と上記表示プレートの前面が当接する。
【考案の効果】
【００１０】
本考案に係る柄付きボードは、作業者が柄を把持した状態で使用されうる。この柄付きボードでは、この柄と表示プレートの前面とのなす角度が、１８０°を越えて揺動しうる。この柄と表示プレートの前面とのなす角度が１８０°より小さいときは、表示プレートの前面が作業者側に向くため、背景とともに表示プレートの前面が撮影される。この柄と表示プレートの前面とのなす角度が１８０°より大きいときは、表示プレートの背面が作業者側に向くため、背景とともに表示プレートの背面が撮影される。この表示ボードは、前面及び背面が利用されうる。複数種類の表示面が撮影される必要があるとき、この柄付きボードでは用意すべき表示ボードの数が減らせうる。また、表示すべき情報を書き換える手間が少なくなりうる。この柄付きボードは、使い勝手に優れる。
【図面の簡単な説明】
【００１１】
【図１】図１は、本考案の一実施形態に係る柄付きボードが示された正面図である。
【図２】図２は、図１の柄付きボードが示された背面図である。
【図３】図３は、図１の柄付きボードが示された側面図である。
【図４】図４は、図１の柄付きボードの一部が示された拡大断面図である。
【図５】図５は、図１の柄付きボードの使用の様子が示された斜視図である。
【図６】図６は、図１の柄付きボードの使用の様子が示された斜視図である。
【図７】図７は、図１の柄付きボードが示された正面図である。
【考案を実施するための形態】
【００１２】
以下、適宜図面が参照されつつ、好ましい実施形態に基づいて本考案が詳細に説明される。
【００１３】
図１は、柄付きボード２の正面図である。この柄付きボード２は、表示プレート４及び柄２６を備えている。図１において、矢印Ｘで示されているのは、柄付きボード２の上下方向である。矢印Ｙで示されているのは、柄付きボード２の左右方向である。
【００１４】
表示プレート４は、その前面６に表示部８を備えている。この表示部８には、工事名、工事の場所、撮影の日付等が記載される。記載には、チョーク、ホワイトボードマーカー等が用いられる。チョークが用いられる場合、表示部８の表面に、黒板と同様の微細凹凸加工がなされる。ホワイトボードマーカーが用いられる場合、表示部８には、このホワイトボードマーカーのインクが含浸しないような加工がなされる。
【００１５】
表示プレート４は、その下側に切り欠き１０を備えている。この切り欠き１０は、表示プレート４の下端１１から上端方向に向かって延びる一対の側面（左側面１２及び右側面１４と称される）と、円弧状の上面１６とを備えている。
【００１６】
表示プレート４は、その前面６に、一対のブラケット１８を備えている。このうち、一方のブラケット１８は、正面視において、上記切り欠き１０の左側面１２の左側に位置している。もう一方のブラケット１８は、正面視において、上記切り欠き１０の右側面１４の右側に位置している。換言すれば、正面視において、上記切り欠き１０は、この一対のブラケット１８の間に位置している。それぞれのブラケット１８は、表示部８に対して垂直な方向に突出している。このブラケット１８は、孔２０を備えている。
【００１７】
図２は、この柄付きボード２の背面図である。この表示プレート４は、その背面２２にも表示部２４を備えている。この表示部２４には、工事名、工事の場所、撮影の日付等が記載される。記載には、チョーク、ホワイトボードマーカー等が用いられる。チョークが用いられる場合、表示部２４の表面に、黒板と同様の微細凹凸加工がなされる。ホワイトボードマーカーが用いられる場合、表示部２４には、このホワイトボードマーカーのインクが含浸しないような加工がなされる。
【００１８】
図１及び２に示されるように、柄２６は、頭部２８と首部３０と本体３２とよりなる。頭部２８は、釣鐘状である。頭部２８は、孔３４を備えている。この孔３４は頭部２８を貫通している。この頭部２８の左右方向の幅は、上記一対のブラケット１８間の左右方向の間隔とほぼ同じとされている。首部３０は頭部２８の下側に位置する。首部３０の左右方向の幅は、頭部２８の幅よりも小さくされている。首部３０の左右方向の幅は、上記切り欠き１０の左側面１２と右側面１４との幅よりも小さくされている。本体３２は、首部３０から下方向に延びている。図には示されないが、本体３２は、第一節、第二節、第三節及び第四節からなる。第一節は第二節に入れ子式に挿入されており、第二節は第三節に入れ子式に挿入されており、第三節は第四節に入れ子式に挿入されている。これらにより、この柄２６は、伸縮自在である。図１及び２では、最も縮められた状態の柄２６が示されている。柄２６が最も縮められたとき、この柄２６の長さは上記表示プレート４の上下方向の長さと同等か、又はこれより短くされている。
【００１９】
典型的には、柄２６の材質は、スチール又はステンレススチールである。節の数が３以下でもよい。節の数が５以上でもよい。柄付きボード２が、伸縮不可能な柄２６を備えてもよい。
【００２０】
この柄２６が表示プレート４に取り付けられるとき、頭部２８は、一対のブラケット１８の間に嵌め込まれる。前述のとおり、それぞれのブラケット１８及び頭部２８には孔が設けられている。一方のブラケット１８の孔２０、頭部２８の孔３４及び他方のブラケット１８の孔２０に、ボルト３６が通される。このボルト３６の先端は、ナット３８に螺入されている。このボルト３６及びナット３８により、表示プレート４に柄２６が取り付けられている。柄２６は表示プレートの前面６に取り付けられている。柄２６は、ボルト３６を軸として、表示プレート４に対して揺動しうる。
【００２１】
図３は、柄付きボード２の側面図である。図３において、両矢印Ａは、柄２６が表示プレート４に対して揺動する方向を表す。両矢印αは、柄２６と表示プレート４の前面６とのなす角度を表す。図３では、角度αが略１８０°とされたときの、柄付きボード２が示されている。この図には、併せてこの角度αが略０°、略９０°及び略２７０°の状態の柄２６が、破線で示されている。前述のとおり、この表示プレート４は切り欠き１０を備えている。角度αが１８０°を越えたとき、柄２６の首部３０がこの切り欠き１０に入り込む。このため、柄２６は、角度αが１８０°を越えて揺動しうる。この柄２６は、柄２６の首部３０が切り欠き１０の上面１６に当接するまで揺動しうる。図４は、柄２６の首部３０が切り込みの上面１６に当接した状態での、柄付きボード２の一部が示された断面図である。この例では、角度αが略３００°となるまで、柄２６が表示プレート４に対して揺動している。
【００２２】
図５は、図１の柄付きボード２の使用状態が示された説明図である。この図では、角度αは１８０°より小さくされているため、表示プレート４の前面６が作業者４０側に向いている。この使用状態では、表示プレート４の前面６が撮影される。この柄付きボード２が使用されるには、まず、作業者４０によって表示プレート４の前面６の表示部８に必要事項が記入される。作業者４０は、表示プレート４と柄２６との角度α、及び柄２６の長さを調整する。作業者４０は、一方の手で柄２６の後端近傍を把持しつつ、他方の手でカメラ４２のシャッターボタンを押す。これにより、表示プレート４の前面６の表示部８に記載された文字と、工事現場の背景とが、同時に撮影されうる。
【００２３】
図６は、図１の柄付きボード２の別の使用状態が示された説明図である。この図では、角度αは１８０°より大きくされているため、表示プレート４の背面２２が作業者４０側に向いている。この使用状態では、表示プレート４の背面２２が撮影される。この柄付きボード２が使用されるには、まず、作業者４０によって表示プレート４の背面２２の表示部２４に必要事項が記入される。作業者４０は、表示プレート４と柄２６との角度α、及び柄２６の長さを調整する。こ作業者４０は、一方の手で柄２６の後端近傍を把持しつつ、他方の手でカメラ４２のシャッターボタンを押す。これにより、表示プレート４の背面２２の表示部２４に記載された文字と、工事現場の背景とが、同時に撮影されうる。
【００２４】
このように、本発明に係る柄付きボード２では、角度αを調整することで、表示プレート４の前面６又は背面２２が背景とともに撮影できる。
【００２５】
前述のとおり、この柄２６は、柄２６の首部３０が切り欠き１０の上面１６に当接するまで揺動しうる。このため、角度αの最大値は、表示プレート４の下端１１から切り欠き１０の上面１６までの距離によって調整しうる。この距離が大きくなると角度αの最大値も大きくなる。この角度αの最大値は、２２５°以上が好ましい。角度αの最大値が２２５°以上の柄付きボード２は、背面２２が容易に撮影しうる。この観点から角度αの最大値は２５０°以上がより好ましい。角度αの最大値は３４５°以下が好ましい。この角度αの最大値が、３４５°以下の柄付きボード２は、表示プレート４の下辺から切り欠き１０の上面１６までの距離が小さい。この切り欠き１０は、取り扱い時に邪魔にならない。この観点から、この角度αの最大値は、３００°以下がより好ましい。
【００２６】
図７は、柄２６が表示プレート４の前面６に当接するまで、柄２６を揺動させた状態を示す。このとき角度αは最小となる。この柄付きボード２の角度αの最小値は略０°である。前述のとおり、この柄２６が縮められたとき、この柄２６の長さは、表示プレート４の上下辺の長さを超えないようにされている。図に示されるとおり、正面視において、この柄２６は表示プレート４から突出していない。この柄付きボード２はコンパクトである。この柄付きボード２は収納が容易である。この柄付きボード２は携帯性に優れる。この柄付きボード２は、突出部がないので、取り扱う時に、他のものに引っかかり難い。この柄付きボード２は取り扱いが容易である。
【００２７】
表示プレート４の裏側に、ホワイトボードマーカーを固定するためのホルダーが設けられてもよい。
【００２８】
以上説明されたように、本考案に係る柄付きボード２は、角度αを調整するだけで、表示プレート４の前面６と背面２２が容易に撮影されうる。この柄付きボード２では、用意すべき表示ボードの数が減らせ、また、表示すべき情報を書き換える手間が少なくなりうる。この柄付きボード２では、角度αが最小とされたとき、正面視においてこの柄２６が表示プレート４から突出しない。この柄付きボード２は収納性及び携帯性に優れる。この柄付きボード２は、使い勝手に優れる。以上より本考案の優位性は明らかである。
【産業上の利用可能性】
【００２９】
本考案に係る柄付きボード２は、例えば建物検査のような、種々の場面における撮影に用いられうる。
【符号の説明】
【００３０】
２・・・柄付きボード
４・・・表示プレート
６・・・前面
８、２４・・・表示部
１０・・・切り欠き
１１・・・下端
１２・・・左側面
１４・・・右側面
１６・・・上面
１８・・・ブラケット
２０、３４・・・孔
２２・・・背面
２６・・・柄
２８・・・頭部
３０・・・首部
３２・・・本体
３６・・・ボルト
３８・・・ナット
４０・・・作業者
４２・・・カメラ
【図１】
0003184456.tif 000003
【図２】
0003184456.tif 000004
【図３】
0003184456.tif 000005
【図４】
0003184456.tif 000006
【図５】
0003184456.tif 000007
【図６】
0003184456.tif 000008
【図７】
0003184456.tif 000009